(57)【要約】【課題】コンピュータとコンピュータインターフェースポートを使用する周辺機器との間の悪質な又は不慮の情報交換を防止すること。【解決手段】コンピュータインターフェースポートに対応してブロックを取り外し可能に取り付け、ブロックがコンピュータインターフェースポートに差し込まれると、保持部材がコンピュータインターフェースポートの内側側壁をしっかりと押圧し、適切なキーのみがコンピュータインターフェースポートからブロックを容易に取り外し可能に構成する。【選択図】図１
0003137476.tif 000002
【実用新案登録請求の範囲】
【請求項１】
コンピュータインターフェースポート用コネクタロックであって、
ブロックとキーとを備え、
前記ブロックは、前面と、背面と、頂面と、底面と、２つの側面と、ブロックの側面に形成され、ブロックの側面から外側に向かって夫々伸長し、弾性的である２つの保持部材と、
ブロックの背面に形成された開口と、ブロック内に形成され、開口と連通するチャネルと、
ブロック内に形成され、チャネルと連通する複数のキーホールとを備え、
前記保持部材の各々が、互いに離間した外縁を有し、
前記キーは、開口を介してチャネル内に回転可能及び取り外し可能に取り付けられ、且つ前記キーは、シャフト及び複数の歯を備え、
前記シャフトは、チャネルに対応し且つチャネルに挿入される先端及び基端を有し、
前記複数の歯は、シャフト上に形成され、ブロックのキーホールに夫々対応して、キーがチャネルに挿入されて回転された時、対応するキーホールと係合する、
コネクタロック。
【請求項２】
保持部材は、ブロックの前面と隣接し、ブロックの背面に向かって伸長する、請求項１に記載のコネクタロック。
【請求項３】
キーホールの内の少なくとも一つがブロックの頂面を貫通して形成され、少なくとも一つのキーホールがブロックの底面を貫通して形成される、請求項１に記載のコネクタロック。
【請求項４】
ブロックは、ブロックの頂面及び底面に形成された複数の凹部を更に有する、請求項１に記載のコネクタロック。
【請求項５】
キーは、キーの基端に形成されたハンドルを更に有し、キーがチャネルに挿入された時ブロックから突出する、請求項１に記載のコネクタロック。
【請求項６】
キーホールの内の少なくとも一つがブロックの頂面を貫通して形成され、少なくとも一つのキーホールがブロックの底面を貫通して形成される、請求項２に記載のコネクタロック。
【請求項７】
ブロックは、ブロックの頂面及び底面に形成された複数の凹部を更に有する、請求項２に記載のコネクタロック。
【請求項８】
キーは、キーの基端に形成されたハンドルを更に有し、キーがチャネルに挿入された時ブロックから突出する、請求項２に記載のコネクタロック。
【考案の詳細な説明】
【技術分野】
【０００１】
本考案は、コネクタロックに関し、より具体的には、コンピュータインターフェースポート用コネクタロックに関する。
【背景技術】
【０００２】
携帯記憶媒体は、今日広く使用されており、携帯フラッシュメモリデバイス、携帯ハードドライブ等の記憶用に設計された周辺機器、及びＭＰ３プレーヤ、携帯電話、パーソナルデジタルアシスタント（ＰＤＡ）等のそれらの機能に追加された記憶機能を有する周辺機器からなる。
コンピュータは、それら周辺機器を接続するためのインターフェースポートを有する。
インターフェースポートは、ユニバーサルシリアルバス（ＵＳＢ）、ＵＳＢ２、ファイヤーワイヤー等でもよい。
【０００３】
しかしながら、コンピュータへのアクセスを有する誰もが、コンピュータインターフェースポートに携帯記憶媒体を差し込んでコンピュータから携帯記憶媒体に情報をダウンロードでき、或いは携帯記憶媒体を使用してコンピュータへ情報をアップロードすることができるので、インターフェースポートを有するコンピュータ間の情報交換は容易である。
ダウンロードされた情報は、個人的又は機密のファイル、文書、ピクチャ等を備えるかもしれない。
アップロードされた情報は、スパイウェア、ウイルス、ワーム、トロイの木馬等のマルウェアを備えるかもしれない。
従って、家庭用及び業務用コンピュータだけでなく、特に、図書館、学校、インターネットカフェ等の公用コンピュータのために、コンピュータ及びその中に記憶された情報を保護するため、インターフェースポートを使用する悪質な又は不慮の情報交換を防止する手段が求められる。
【０００４】
これは、現在、いくつかのソフトウェアを使用して達成されるかもしれないが、ソフトウェアは、ユーザが自身の周辺機器を挿入することを防止できず、一旦周辺機器とコンピュータ間で電気的接続がなされると、データ伝送及びデータ交換のリスクがある。
【０００５】
この問題を解決するために、本考案は、前述の問題を軽減又は未然に防ぐために、コンピュータインターフェースポート用コネクタロックを提供する。
【考案の開示】
【考案が解決しようとする課題】
【０００６】
本考案の主な目的は、コンピュータインターフェースポートを介するコンピュータと周辺機器間の情報の悪質な又は不慮の交換を防ぐためのコネクタロックを提供することにある。
【課題を解決するための手段】
【０００７】
本考案に係るコネクタロックは、ブロック及びキーからなる。
ブロックは、コンピュータインターフェースポートに対応して取り外し可能に取り付けられ、どんな周辺デバイスが、コンピュータインターフェースポートに挿入される又はそれと電気的接触をなすことを防ぎ、２つの側面、２つの保持部材、及びチャネルを有する。
保持部材は、ブロックの側面から外側に向かって夫々突出し、弾性的である。キーは、チャネルに挿入され回転されて、コンピュータインターフェースポートからブロックを取り除く。
ブロックがコンピュータインターフェースポートに差し込まれると、保持部材は、コンピュータインターフェースポートの内側側壁をしっかりと押圧する。
【０００８】
即ち本願の第１考案は、コンピュータインターフェースポート用コネクタロックであって、ブロックとキーとを備え、前記ブロックは、前面と、背面と、頂面と、底面と、２つの側面と、ブロックの側面に形成され、ブロックの側面から外側に向かって夫々伸長し、弾性的である２つの保持部材と、ブロックの背面に形成された開口と、ブロック内に形成され、開口と連通するチャネルと、ブロック内に形成され、チャネルと連通する複数のキーホールとを備え、前記保持部材の各々が、互いに離間した外縁を有し、前記キーは、開口を介してチャネル内に回転可能及び取り外し可能に取り付けられ、且つ前記キーは、シャフト及び複数の歯を備え、前記シャフトは、チャネルに対応し且つチャネルに挿入される先端及び基端を有し、前記複数の歯は、シャフト上に形成され、ブロックのキーホールに夫々対応して、キーがチャネルに挿入されて回転された時、対応するキーホールと係合する、コネクタロックを提供する。
本願の第２考案は、保持部材は、ブロックの前面と隣接し、ブロックの背面に向かって伸長する、前記第１考案に記載のコネクタロックを提供する。
本願の第３考案は、キーホールの内の少なくとも一つがブロックの頂面を貫通して形成され、少なくとも一つのキーホールがブロックの底面を貫通して形成される、前記第１考案に記載のコネクタロックを提供する。
本願の第４考案は、ブロックは、ブロックの頂面及び底面に形成された複数の凹部を更に有する、前記第１考案に記載のコネクタロックを提供する。
本願の第５考案は、キーは、キーの基端に形成されたハンドルを更に有し、キーがチャネルに挿入された時ブロックから突出する、前記第１考案に記載のコネクタロックを提供する。
本願の第６考案は、キーホールの内の少なくとも一つがブロックの頂面を貫通して形成され、少なくとも一つのキーホールがブロックの底面を貫通して形成される前記第２考案に記載のコネクタロックを提供する。
本願の第７考案は、ブロックは、ブロックの頂面及び底面に形成された複数の凹部を更に有する、前記第２考案に記載のコネクタロックを提供する。
本願の第８考案は、キーは、キーの基端に形成されたハンドルを更に有し、キーがチャネルに挿入された時ブロックから突出する、前記第２考案に記載のコネクタロックを提供する。
【考案の効果】
【０００９】
本考案にあっては、正確なキーのみが、コンピュータインターフェースポートからブロックを容易に取り除くことができるので、コネクタロックは、コンピュータとコンピュータインターフェースポートを使用する周辺機器との間の悪質な又は不慮の情報交換を防止することができる。
【００１０】
本考案のその他の目的、利益、及び新規の特徴は、添付の図面と併せて行われる時、以下の詳細な説明からより明らかになるだろう。
【考案を実施するための最良の形態】
【００１１】
図１を参照すると、本考案に係るコネクタロックを使用して、コンピュータインターフェースポートを使用する情報交換を防止する。コンピュータインターフェースポートは、ソケットを備えており、ユニバーサルシリアルバス（ＵＳＢ）、ＵＳＢ２、マイクロＵＳＢ、ファイヤーワイヤー等でもよい。
【００１２】
ソケットは、２つの側壁及びソケット内に形成されたスロットを有する。
【００１３】
ＵＳＢインターフェースポートは、２つのＵＳＢソケット（１０）を更に備え、各ＵＳＢソケット（１０）は、下方内側表面、舌（１１）、ＵＳＢスロット（１２）、及び多数の位置決め部材（１３）を更に有する。舌（１１）は、ソケット（１０）に取り付けられる。ＵＳＢスロット（１２）は、ソケット（１０）の下方内側表面と舌（１１）の間に形成される。位置決め部材（１３）は、ソケット（１０）の下方内面に取り付けられる。
【００１４】
コネクタロックは、ブロック（２０）及びキー（３０）からなる。
【００１５】
ブロック（２０）は、スロット（１２）に取り外し可能に取り付けられ、どんな周辺デバイスがスロット（１２）に差し込まれるのも防ぐ。更に図２乃至４を参照すると、ブロック（２０）は、正面、背面、頂面、底面、２つの側面、２つの保持部材（２１）、開口（２２１）、チャネル（２２）、多数のキーホール（２２２）、及び多数の任意の凹部（２３）を有する。
【００１６】
ブロック（２０）の背面は、インターフェースポートのスロット（１２）と連通する。
【００１７】
保持部材（２１）は、ブロック（２０）の側面に形成されて、ブロック（２０）の側面から外側に向かって夫々伸長しており、弾性的であり、ブロック（２０）の正面に隣接してもよく、ブロック（２０）の背面に向かって伸長し、夫々外縁を有する。保持部材（２１）の外縁は、ソケット（１０）の内側側壁間の距離よりも大きい距離だけ離間している。従って、ブロック（２０）がスロット（１２）に差し込まれた時、保持部材（２１）は、ソケット（１０）の内側側壁をしっかりと押圧し、ブロック（２０）はスロット（１２）内にしっかりと取り付けられて、スロット（１２）から取れにくく、インターフェースポートを介する情報交換を防止する。
【００１８】
開口（２２１）は、ブロック（２０）の背面上に形成される。
チャネル（２２）は、ブロック（２０）内に形成され、開口（２２１）と連通している。
【００１９】
キーホール（２２２）は、ブロック（２０）内に形成されて、チャネル（２２）と連通しており、少なくとも一つのキーホール（２２２）は、ブロック（２０）の頂面を貫通して形成されてよく、少なくとも一つのキーホール（２２２）が、ブロック（２０）の底面を貫通して形成されてもよい。
【００２０】
図５を参照すると、凹部（２３）は、ブロック（２０）の頂面及び底面に形成され、ＵＳＢソケット（１０）内の位置決め部材（１３）と取り外し可能に係合する。
【００２１】
キー（３０）は、ブロック（２０）と係合及びスロット（１２）からブロック（２０）を取り外すために、開口（２２１）を通ってチャネル（２１）内に回転可能に取り付けられ、シャフト及び任意のハンドル（３２）を有する。
【００２２】
シャフトは、基端、先端、及び多数の歯（３１）を有する。
シャフトの先端は、チャネル（２１）に対応してそれに挿入される。
【００２３】
歯（３１）は、シャフト（３０）上に形成され、ブロック（２０）のキーホール（２２２）に夫々対応する。従って、キー（３０）がチャネル（２２）に挿入されて回転された時、歯（３１）は対応するキーホール（２２２）と係合する。更に、歯（３１）及びキーホール（２２２）の異なる数又は位置が、異なるブロック（２０）に対応する異なる型のキー（３０）を生じる結果となる。対応するブロック（２０）におけるキーホール（２２２）に対応する歯（３１）を有するキー（３０）のみが、スロット（１２）に差し込まれたブロック（２０）を取り除くことができる。
【００２４】
ハンドル（３２）は、キー（３０）の基端に形成され、キー（３０）がチャネル（２１）に挿入される時ブロック（２０）から突出し、ユーザが、キー（３０）を保持し、歯（３１）をキーホール（２２２）と係合させるためのキー（３０）を回転し、且つチャネル（２２）からブロック（２０）を引き抜くことができるようにする。
【００２５】
コネクタロックのブロック（２０）は、周辺機器の挿入又は周辺機器への電気的接触を容易に阻止及び防止し、それによって、ＵＳＢインターフェースポートを含む、しかしそれに限らない任意のコンピュータインターフェースポートが使用されるのを防止するが、適切なキー（３０）によって容易に開錠されて取り除かれる。ブロック（２０）がコンピュータインターフェースポートに差し込まれると、ブロック（２０）はコンピュータインターフェースポートに対応してしっかりと取り付けられるので、ブロック（２０）をコンピュータインターフェースポートから容易に取り除くことはできない。従って、コネクタロックは、コンピュータとコンピュータインターフェースポートを使用する周辺機器との間の情報の悪質な又は不慮の交換を防止する。
【００２６】
本考案の数々の特性及び利益は、本考案の構造及び機能の詳細とともに、前述の説明に記載されているが、本開示は実例に過ぎない。添付の実用新案登録請求の範囲を表す言葉の広く一般的な意味によって示される範囲の及ぶ限り、本考案の原理内で、特に部品の形状、大きさ、及び配置の点で、細部にわたって変更が可能である。
【図面の簡単な説明】
【００２７】
【図１】本考案に係るコネクタロック及びユニバーサルシリアルバス（ＵＳＢ）インターフェースポートの斜視図である。
【図２】キーがブロックのチャネルに挿入されていることを示す、図１におけるコネクタロック及びＵＳＢインターフェースポートの部分断面における側面図である。
【図３】コネクタロックがＵＳＢインターフェースポートに差し込まれていることを示す、図１におけるコネクタロック及びＵＳＢインターフェースポートの部分断面における上面図である。
【図４】図３におけるＵＳＢインターフェースポートから取り外されたコネクタロックの部分断面における上面図である。
【図５】図４におけるコネクタロックの、線５−５に沿った部分断面における正面図である。
【図１】
0003137476.tif 000003
【図２】
0003137476.tif 000004
【図３】
0003137476.tif 000005
【図４】
0003137476.tif 000006
【図５】
0003137476.tif 000007